(57)【特許請求の範囲】
【請求項１】
オレフィン製液体収納用バッグとオレフィン製チューブとが、前記オレフィン製液体収納用バッグ内と前記オレフィン製チューブ内とを破断開通可能な閉塞部位を有する接続部材によって接続されている液体収納容器であって、
前記閉塞部位は破断部が設けられ、前記破断部を破断することで、前記オレフィン製液体収納用バッグ内と前記オレフィン製チューブ内とが連通されるものであり、
前記接続部材は、前記オレフィン製チューブを接続する部位が融点１４０℃以下で曲げ弾性率８０００kg-f/cm2以下のオレフィン系材料からなり、前記閉塞部位が融点１４０℃以上で曲げ弾性率９０００kg-f/cm2以上のオレフィン系材料からなり、前記接続する部位と前記閉塞部位との二色成形品として供されていることを特徴とする液体収納容器。
【請求項２】
前記閉塞部位がポリプロピレンであり、前記オレフィン製チューブを接続する部位がプロピレンと他のモノマーとのランダム共重合体またはブロック共重合体である請求項１に記載の液体収納容器。
【請求項３】
前記閉塞部位及び前記オレフィン製チューブを接続する部位に、オレフィン系エラストマー、スチレン系エラストマー、及びこれらの混合物を含むことを特徴とする請求項１乃至２に記載の液体収納容器。
【発明の詳細な説明】
【０００１】
【発明の属する技術分野】
本発明は、液体収納用バッグとチューブとを接続する接続部材、およびそれを有する液体収納用容器に関する。
【０００２】
【従来の技術】
透析液や輸液などの液体を収納するバッグとそれに連通するチューブとが、破断開通可能な閉塞部位を有する接続部材を介して接続され、使用前までバッグ内を閉塞し、使用直前に閉塞部位を破断することにより、収納された液体をチューブを介してバッグ外に排出する、あるいは外部の液体をチューブを介してバッグ内に流入させることができる液体収納容器が利用されている。これらは、従来塩化ビニル樹脂製のものが多く利用されてきたが、環境問題等による脱塩ビ化の動きからバッグ、チューブ、接続部材などの部品をオレフィン系材料からなるものが開発されている。しかしながら、オレフィン系材料を用いた場合、塩化ビニル樹脂製のものと異なり、それぞれの部品が容易に接続できない、即ち、熱融着や嵌合（スタッキング（蒸気滅菌など熱による疑似融着）を含む）が弱く、溶媒融着も不可であるという問題があった。
【０００３】
【発明が解決しようとする課題】
本発明は、オレフィン系材料からなるバッグ、チューブ、接続部材などの部品が容易に熱融着またはスタッキングし、かつ衛生的な観点から使用直前までバッグ内を閉塞し破断開通可能な閉塞部位を有する接続部材、およびそれを用いた液体収納用容器を提供することにある。
【０００４】
【課題を解決するための手段】
上記課題は、以下の本発明により解決される。
【００１０】
（１）本発明は、オレフィン製液体収納用バッグとオレフィン製チューブとが、前記オレフィン製液体収納用バッグ内と前記オレフィン製チューブ内とを破断開通可能な閉塞部位を有する接続部材によって接続されている液体収納容器であって、
前記閉塞部材は破断部が設けられ、前記破断部を破断することで、前記オレフィン製液体収納用バッグ内と前記オレフィン製チューブ内とが連通されるものであり、
前記接続部材は、前記オレフィン製チューブを接続する部位が融点１４０℃以下のオレフィン系材料からなり、前記閉塞部位が曲げ弾性率９０００kg-f/cm2以上のオレフィン系材料からなり、前記接続する部位と前記閉塞部位との二色成形品として供されていることを特徴とする液体収納容器である。
【００１１】
（２）本発明は、前記閉塞部位がポリプロピレンであり、前記オレフィン製チューブを接続する部位がプロピレンと他のモノマーとのランダム共重合体またはブロック共重合体である上記（１）に記載の液体収納容器である。
【００１２】
（３）本発明は、前記閉塞部位及び前記オレフィン製チューブを接続する部位に、オレフィン系エラストマー、スチレン系エラストマー、及びこれらの混合物を含むことを特徴とする上記（１）乃至（２）に記載の液体収納容器である。
【００１３】
（４）本発明は、オレフィン製液体収納用バッグとオレフィン製チューブとが、前記オレフィン製液体収納用バッグ内と前記オレフィン製チューブ内とを破断開通可能な閉塞部位を有する接続部材によって接続されている液体収納容器であって、
前記閉塞部材は破断部が設けられ、前記破断部を破断することで、前記オレフィン製液体収納用バッグ内と前記オレフィン製チューブ内とが連通されるものであり、
前記接続部材は、前記オレフィン製チューブを接続する部位が融点１４０℃以下で曲げ弾性率８０００kg-f/cm2以下のオレフィン系材料からなり、前記閉塞部位が融点１４０℃以上で曲げ弾性率９０００kg-f/cm2以上のオレフィン系材料からなり、前記接続する部位と前記閉塞部位との二色成形品として供されていることを特徴とする液体収納容器である。
【００１４】
（５）本発明は、前記閉塞部位がポリプロピレンであり、前記オレフィン製チューブを接続する部位がプロピレンと他のモノマーとのランダム共重合体またはブロック共重合体である上記（４）に記載の液体収納容器である。
【００１５】
（６）本発明は、前記閉塞部位及び前記オレフィン製チューブを接続する部位に、オレフィン系エラストマー、スチレン系エラストマー、及びこれらの混合物を含むことを特徴とする上記（４）１乃至（５）に記載の液体収納容器である。
【００１６】
上述した本発明の接続部材及び液体収納容器において、接続部材と液体収納用バッグもしくはオレフィン製液体収納用バッグとは熱融着される。したがって、本発明にかかる接続部材の液体収納用バッグもしくはオレフィン製液体収納用バッグとの接続部分の材料は熱融着可能なものであれば特に限定する必要はなく、前記閉塞部位または前記チューブを接続する部位もしくは前記オレフィン製チューブを接続する部位と同じものであってもよい。
【００１７】
本発明の接続部材及び液体収納容器において、接続部材と液体収納用チューブもしくはオレフィン製チューブとはスタッキングされるが、場合によっては熱融着されていてもよい。
【００１８】
本発明において液体とは、特に限定しないが、医療用の透析液や輸液など、更には透析液の排液などがあげられ、予めバッグ内に充填するものであっても、使用に際してバッグに流入されるものであってもよい。
【００１９】
【発明の実施の形態】
本発明の実施の形態について図面を参照しながら説明する。図１は、本発明の模式図を示す。接続部材１は、チューブ５とのチューブ接続部２、バッグ７とのバッグ接続部３、及び破断開通可能な閉塞部位４とからなり、液体収納容器１０は、接続部材１、チューブ５、及びバッグ７から構成される。接続部材１は、端面が楕円や菱形などの舟形形状のバッグ接続部３の両面から筒状のチューブ接続部２及び閉塞部材４がそれぞれ延びている。閉塞部材４には、破断部４１が設けられ、破断することでチューブ５内とバッグ７内が連通する。
【００２０】
接続部材１の少なくともチューブ接続部２及びバッグ接続部３は、融点１４０℃以下及び／又は曲げ弾性率８０００kg-f/cm2以下のポリオレフィン系材料からなり、閉塞部材４は、融点１４０℃以上及び／又は曲げ弾性率９０００kg-f/cm2以上のポリオレフィン系材料からなり、二色成形品として供される。
【００２１】
チューブ接続部２及びバッグ接続部３を構成するポリオレフィン系材料としては、ポリプロピレンやポリエチレンがあげられるが、プロピレンと他のモノマーとのランダム共重合体またはブロック共重合体が望ましい。具体的には、ＳＰＸ８６００（三菱化学）、チッソポリプロＬＥ３３００（チッソ）、チッソポリプロＸＦ７７００（チッソ）などがあげられる。
【００２２】
また、これにオレフィン系エラストマー、スチレン系エラストマー、及びこれらの混合物を含むものであってもよい。具体的に、オレフィン系エラストマーとしては、ＥＢＭ２０４１Ｐ（日本合成ゴム）など、スチレン系エラストマーとしては、ダイナロン２３２０Ｐ（日本合成ゴム）、ハイブラー７１２５Ｆ（クラレ）、セプトン４０４４（クラレ）などがあげられる。
【００２３】
閉塞部位４を構成するポリオレフィン系材料としては、ポリプロピレンやポリエチレンがあげられるが、ポリプロピレンが望ましく、具体的には、ノバテックＰＰ  ＭＡ３（日本ポリケム）、ノバテックＰＰ  ＭＡ３Ｈ（日本ポリケム）などがあげられる。また、上述したオレフィン系エラストマー、スチレン系エラストマー、及びこれらの混合物を含むものであってもよい。
【００２４】
チューブ５及びバッグ７もポリオレフィン系材料からなるものが望ましい。チューブ５としては、具体的に、ＳＰＸ８６００（三菱化学）、エクセレンＥＰＸＫＳ３７Ｇ１（住友化学）、ノバテックＰＰ  ＦＬ２５Ｒ（日本ポリケム）などがあげられる。バッグ７としては、具体的に、ＳＰＸ８６００（三菱化学）、チッソポリプロＬＥ３３００（チッソ）、チッソポリプロＸＦ１８００（チッソ）などがあげられる。また、上述したオレフィン系エラストマー、スチレン系エラストマー、及びこれらの混合物を含むものであってもよい。なお、チューブ５及びバッグ７のポリオレフィン系材料は融点が１４５℃以下のものが望ましい。
【００２５】
液体収納容器１０は、次のようにして得ることができる。まず、２枚のシートを重ね、または１枚のシートを筒状にして得られたバッグ７の一部を開封し、その部分に接続部材１を挿入し、バッグ７の外表面より熱シール金型等で加熱（１３０〜１７０℃）し、バッグ７とバッグ接続部３を融着する。
【００２６】
なお、予めバッグ７内に液体（例えば、透析液や輸液など）を充填しておく場合は、ポート（閉塞部位４を設けない以外は接続部材１と同様な形状のもの）をバッグに同様に接続し、そのポートを介して充填する。また、液体収納容器１０は予めバッグ７内に液体を充填せず、透析液の排液等を収納するような、使用によって液体を流入するものであってもよい。
【００２７】
次に、チューブ接続部２に  オレフィン系チューブを嵌合する。チューブ接続部１の外径は、チューブの内径より０.１〜２ｍｍ程大きいものが望ましい。嵌合後、あるいは嵌合後更に包材で包装した後、蒸気滅菌機を用いて、加熱滅菌し、この工程で付与される熱（温度１００〜１３０℃、時間５〜６０分間）によって、チューブ接続部２とチューブ５とがスタッキングする。
【００２８】
上述の手法によって得られた液体収納容器１０は、接続部材１とバッグ７とが強固に熱融着され、かつ接続部材１とチューブ５とが強固にスタッキングされたものであった。また、閉塞部位４もバッグ７の上から良好に破断部４１から破断できるものであった。
【００２９】
なお、接続部材１の少なくともチューブ接続部２に、融点１４０℃以上、曲げ弾性率８０００kg-f/cm2以上、及び融点１４０℃以上かつ曲げ弾性率８０００kg-f/cm2以上のポリオレフィン系材料を用いた以外は同様の手法によって液体収納容器を作成したが、液体収納容器１０と比べ、接続部材とチューブとのスタッキング部分が接合性が劣るものであった。
【００３０】
また、接続部材１の閉塞部位４に、融点１４０℃以下、曲げ弾性率９０００kg-f/cm2以下、融点１４０℃以下かつ曲げ弾性率９０００kg-f/cm2以下のポリオレフィン系材料を用いた以外は同様の手法によって液体収納容器を作成したが、液体収納容器１０と比べ、バッグの上から閉塞部位の破断性が劣るものであった。
【００３１】
【発明の効果】
本発明の接合部材及び液体収納容器は、オレフィン製のバッグと熱融着し、かつ蒸気滅菌などの熱により、接続部材とオレフィン製のチューブとが強固にスタッキングするものであり、かつバッグの上からでも接合部材に設けられた閉塞部材を十分に破断できるものである。
【図面の簡単な説明】
【図１】本発明の接続部材１および液体収納容器１０を示す模式図である。
【図１】
0004388628.tif 000002